(57)【要約】      （修正有）【課題】複数の凍結血漿バッグの間で高さにばらつきがあっても、複数の凍結血漿バッグの成分や組織を破壊することなく雑細菌の付着を抑えながら簡単に短時間に解凍を正確に遂行することができる凍結血漿解凍装置を提供する。【解決手段】本装置１は、本体２と、上蓋３と、上部融解プレート５ａ、５ｂと、下部融解プレート６ａ、６ｂと、を備え、上部融解プレートと下部融解プレートとの間に複数の凍結血漿バッグ７ａ、７ｂを上下方向に挟み込んだ状態で、上部融解プレート及び下部融解プレートを加熱してから所定の時間の経過後に上蓋を水平軸回りに揺動させることで、複数の凍結血漿バッグに貯蔵された凍結血漿を解凍する。そして、複数の凍結血漿バッグがサイズの異なるものを一度に解凍する場合は、複数並設さており、複数の一方の融解プレートのそれぞれは、互いに独立して、操作可能である。【選択図】図３
2018061719.tif 000002
【特許請求の範囲】
【請求項１】
本体と、前記本体の上面側を覆う状態で前記本体に対して水平軸回りに揺動可能に設けられる上蓋と、前記上蓋の下面側に設けられる上部融解プレートと、前記本体の上面側に設けられる下部融解プレートと、を備え、前記上部融解プレートと前記下部融解プレートとの間に複数の凍結血漿バッグを上下方向に挟み込んだ状態で、前記上部融解プレート及び前記下部融解プレートを加熱して前記上蓋を水平軸回りに揺動させることで、複数の前記凍結血漿バッグに貯蔵された凍結血漿を解凍する凍結血漿解凍装置であって、
前記上部融解プレート及び前記下部融解プレートのそれぞれを加熱してから所定時間の経過後に前記上蓋を水平軸回りに揺動させる制御部を備えることを特徴とする凍結血漿解凍装置。
【請求項２】
前記上部融解プレート及び前記下部融解プレートのうちの少なくとも一方の融解プレートは、複数並設さており、
複数の前記一方の融解プレートのそれぞれは、互いに独立して、前記上蓋又は前記本体に上下方向に移動自在に支持されており、
複数の前記一方の融解プレートのそれぞれと前記上蓋又は前記本体との間には、前記一方の融解プレートを他方の融解プレートに向かって付勢する付勢体が介装されている請求項１記載の凍結血漿解凍装置。
【請求項３】
前記一方の融解プレートは、前記下部融解プレートであり、前記他方の融解プレートは、前記上部融解プレートである請求項２に記載の凍結血漿解凍装置。
【発明の詳細な説明】
【技術分野】
【０００１】
本発明は、凍結血漿解凍装置に関し、さらに詳しくは、凍結血漿バッグに貯蔵された凍結血漿を解凍する凍結血漿解凍装置に関する。
【背景技術】
【０００２】
従来の凍結血漿解凍装置として、本体と、本体の上面側を覆う状態で本体に対して水平軸回りに揺動可能に設けられる上蓋と、上蓋の下面側に固定的に設けられる１つの上部融解プレートと、本体の上面側に固定的に設けられる１つの下部融解プレートと、を備え、上部融解プレートと下部融解プレートとの間に複数の凍結血漿バッグを上下方向に挟み込んだ状態で、上部融解プレート及び下部融解プレートを加熱して上蓋を水平軸回りに揺動させることで、複数の凍結血漿バッグに貯蔵された凍結血漿を解凍するものが一般に知られている（例えば、特許文献１参照）。
【先行技術文献】
【特許文献】
【０００３】
【特許文献１】特開２０１３−２５２２０４号公報
【発明の概要】
【発明が解決しようとする課題】
【０００４】
しかし、上記特許文献１に記載された技術では、１つの上部融解プレートが上蓋に固定的に設けられており、１つの下部融解プレートが本体に固定的に設けられているため、上部融解プレートと下部融解プレートとの間に挟み込まれる複数の同サイズの凍結血漿バッグの高さ（厚さ）にばらつきがある、またサイズが異なるものを同時に解凍する場合、短時間に凍結血漿バッグの融解処理を行うと、凍結血漿バッグの個々に融解温度にばらつきが大きかった。すなわち、上部融解プレートと下部融解プレートとの間にセットした複数の凍結血漿バッグの同サイズのものであっても厚みが違っているため融解中の滑り移動やずれが完全に抑えられず、融解温度のばらつきに影響していた。また、サイズの異なるもの(現在２４０ccと４８０ccのものがある)を同時に融解処理する場合なおさら高さに大きな差があり、融解中の滑り移動やずれが起こり、融解温度のばらつきに影響していた。
【０００５】
本発明は、上記現状に鑑みてなされたものであり、複数の同サイズの凍結血漿バッグの間で高さにばらつきがあっても、複数の凍結血漿バッグの成分や組織を破壊することなく雑細菌の付着を抑えながら簡単に短時間に解凍を正確に遂行することができる凍結血漿解凍装置を提供することを目的とする。また、本発明は、上記目的に加えて、サイズの異なる凍結血漿バッグを同時に処理する場合であっても、複数の凍結血漿バッグの成分や組織を破壊することなく雑細菌の付着を抑えながら簡単に短時間に解凍を正確に遂行することができる凍結血漿解凍装置を提供することを他の目的とする。
【課題を解決するための手段】
【０００６】
上記問題を解決するために、請求項１に記載の発明は、本体と、前記本体の上面側を覆う状態で前記本体に対して水平軸回りに揺動可能に設けられる上蓋と、前記上蓋の下面側に設けられる上部融解プレートと、前記本体の上面側に設けられる下部融解プレートと、を備え、前記上部融解プレートと前記下部融解プレートとの間に複数の凍結血漿バッグを上下方向に挟み込んだ状態で、前記上部融解プレート及び前記下部融解プレートを加熱して前記上蓋を水平軸回りに揺動させることで、複数の前記凍結血漿バッグに貯蔵された凍結血漿を解凍する凍結血漿解凍装置であって、前記上部融解プレート及び前記下部融解プレートのそれぞれを加熱してから所定時間の経過後に前記上蓋を水平軸回りに揺動させる制御部を備えることを要旨とする。
請求項２に記載の発明は、請求項１記載の発明において、前記上部融解プレート及び前記下部融解プレートのうちの少なくとも一方の融解プレートは、複数並設さており、複数の前記一方の融解プレートのそれぞれは、互いに独立して、前記上蓋又は前記本体に上下方向に移動自在に支持されており、複数の前記一方の融解プレートのそれぞれと前記上蓋又は前記本体との間には、前記一方の融解プレートを他方の融解プレートに向かって付勢する付勢体が介装されていることを要旨とする。
請求項３に記載の発明は、請求項２に記載の発明において、前記一方の融解プレートは、前記下部融解プレートであり、前記他方の融解プレートは、前記上部融解プレートであることを要旨とする。
【発明の効果】
【０００７】
本発明の凍結血漿解凍装置によると、前記上部融解プレート及び前記下部融解プレートのそれぞれを加熱してから所定時間の経過後に前記上蓋を水平軸回りに揺動させる制御部を備えるので、複数の同サイズの凍結血漿バッグを挟み込んだ状態で各融解プレートの加熱だけを所定時間行うことにより、凍結血漿バッグの表面側が融解されて各融解プレートとの接触面積が多くなると同時に、複数の凍結血漿バッグの間の高さのばらつきが十分に吸収される。そして、加熱だけの所定時間の経過後に上蓋を揺動させることにより、複数の同サイズの凍結血漿バッグは、滑り移動やずれを効果的に抑制されて解凍される。その結果、複数の同サイズの凍結血漿バッグの間で高さにばらつきがあっても、複数の凍結血漿バッグの成分や組織を破壊することなく雑細菌の付着を抑えながら簡単に短時間に解凍を正確に遂行することができる。
また、凍結血漿バックのサイズの異なるものを同時に解凍する場合は、前記加熱処理だけを所定時間経過後に上蓋を揺動させることに加えて、上部融解プレート及び下部融解プレートのうちの少なくとも一方の融解プレートは、複数並設さており、複数の一方の融解プレートのそれぞれは、互いに独立して、上蓋又は本体に上下方向に移動自在に支持されており、複数の一方の融解プレートのそれぞれと上蓋又は本体との間には、一方の融解プレートを他方の融解プレートに向かって付勢する付勢体が介装されている。そして、上部融解プレートと下部融解プレートとの間に異なるサイズの複数の凍結血漿バッグを上下方向に挟み込んだ状態で、各融解プレートを加熱して上蓋（即ち、上部融解プレート）を水平軸回りに揺動させることで、複数の凍結血漿バッグに貯蔵された凍結血漿が解凍される。これにより、上部融解プレートと下部融解プレートとの間に挟み込まれる複数の凍結血漿バッグの間で高さに大きなばらつきがあっても、複数の一方の融解プレートのうちの適当な融解プレートが付勢体の付勢力に抗して上下方向に移動することで、複数の凍結血漿バッグの間の高さの大きなばらつきが吸収されて、凍結血漿バッグの滑り移動やずれが抑制される。その結果、異なるサイズの複数の凍結血漿バッグの間で高さに大きなばらつきがあっても、複数の凍結血漿バッグの成分や組織を破壊することなく雑細菌の付着を抑えながら簡単に短時間に解凍を正確に遂行することができる。
さらに、前記一方の融解プレートが、前記下部融解プレートであり、前記他方の融解プレートが、前記上部融解プレートである場合は、複数の下部融解プレートのそれぞれは、互いに独立して、本体に上下方向に移動自在に支持され、複数の下部融解プレートのそれぞれと本体との間には、下部融解プレートを上部融解プレートに向かって付勢する付勢体が介装される。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る凍結血漿解凍装置の前方からみた斜視図である。
【図２】上記凍結血漿解凍装置の後方からみた斜視図である。
【図３】上記凍結血漿解凍装置の縦断面図である。
【図４】図３のＩＶ−ＩＶ線断面図である。
【図５】上記凍結血漿解凍装置の作用を説明するための説明図である。
【図６】実施例に係る制御部を説明するためのブロック図である。
【図７】上記制御部による解凍処理を説明するためのフローチャート図である。
【図８】他の形態の凍結血漿解凍装置を説明するための説明図であり、（ａ）は上/下融解プレートを固定して備える形態を示し、（ｂ）は下部融解プレートが上下方向に移動自在に支持される形態を示し、（ｃ）は上部融解プレートが上下方向に移動自在に支持される形態を示し、（ｄ)は上部融解プレート及び下部融解プレートが上下方向に移動自在に支持される形態を示す。
【図９】他の形態の凍結血漿解凍装置（上/下融解プレートを固定して備える形態）の縦断面図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
＜凍結血漿解凍装置＞
本実施形態に係る凍結血漿解凍装置は、本体（２）と、本体の上面側を覆う状態で本体に対して水平軸回りに揺動可能に設けられる上蓋（３）と、上蓋の下面側に設けられる上部融解プレート（５ａ、５ｂ）と、本体の上面側に設けられる下部融解プレート（６ａ、６ｂ）と、を備え、上部融解プレートと下部融解プレートとの間に複数の凍結血漿バッグ（７ａ、７ｂ）を上下方向に挟み込んだ状態で、上部融解プレート及び下部融解プレートを加熱して上蓋（３）を水平軸回りに揺動させることで、複数の凍結血漿バッグに貯蔵された凍結血漿を解凍する凍結血漿解凍装置（１）である（例えば、図１〜図２等参照）。そして、上記上部融解プレート（５ａ、５ｂ）及び下部融解プレート（６ａ、６ｂ）のそれぞれを加熱してから所定時間（Ｔ１）の経過後に上蓋（３）を水平軸回りに揺動させる制御部（４０）を備える（例えば、図６及び図７等参照）。なお、上記所定時間（Ｔ１）としては、例えば、１〜１０分（好ましくは３〜７分）等が挙げられる。また、上述の形態の場合、例えば、上部融解プレート（５ａ、５ｂ）及び下部融解プレート（６ａ、６ｂ）のうちの少なくとも一方の融解プレートは、複数並設さていることができる。これにより、複数の凍結血漿バッグをより効果的に解凍できる。
【００１１】
本実施形態に係る凍結血漿解凍装置としては、例えば、上部融解プレート（５ａ、５ｂ）及び下部融解プレート（６ａ、６ｂ）のうちの少なくとも一方の融解プレートは、複数並設さており、複数の一方の融解プレートのそれぞれは、互いに独立して、上蓋（３）又は本体（２）に上下方向に移動自在に支持されており、複数の一方の融解プレートのそれぞれと上蓋又は本体との間には、一方の融解プレートを他方の融解プレートに向かって付勢する付勢体（２７ａ、２７ｂ）が介装されている形態（例えば、図３、図４及び図８等参照）を挙げることができる。
【００１２】
本実施形態に係る凍結血漿解凍装置としては、例えば、上記一方の融解プレートは、下部融解プレート（６ａ、６ｂ）であり、他方の融解プレートは、上部融解プレート（５ａ、５ｂ）である形態（例えば、図４及び図８等参照）を挙げることができる。この場合、例えば、上蓋（３）は、本体（２）の上面側を覆う被覆状態と本体の上面側を開放する開放状態との間で本体に対して変位自在に支持されており、上部融解プレート（５ａ、５ｂ）は、上蓋（３）に移動不能に固定されていることができる（例えば、図３等参照）。これにより、開閉操作される上蓋を簡易且つ安価な構造にできる。
【００１３】
本実施形態に係る凍結血漿解凍装置としては、例えば、上記融解プレート（５ａ、５ｂ、６ａ、６ｂ）のそれぞれは、融解プレートを加熱するヒータ（３４ａ、３４ｂ、３５ａ、３５ｂ）と、融解プレートの温度を検出する温度センサ（３６ａ、３６ｂ、３７ａ、３７ｂ）と、を備え、温度センサの検出値に基づいてヒータの供給電力を調整して融解プレートの温度を調節する制御部（４０）を備える形態を挙げることができる。
【００１４】
なお、上記融解プレートの材質、形状等は特に問わない。この融解プレートの材質としては、例えば、アルミニウム、銅、酸化アルミニウム、窒化アルミニウム、炭化ケイ素、窒化ケイ素、カーボン等を挙げることができる。これらのうち、高熱伝導率といった観点から、融解プレートが、アルミニウム板、銅板、又はアルミニウム板と銅板とを貼り合わせた複合板からなることが好ましい。また、融解プレートの厚さとしては、例えば、３〜４０ｍｍを挙げることができる。
【実施例】
【００１５】
以下、図面を用いて実施例により本発明を具体的に説明する。
【００１６】
（１）凍結血漿解凍装置の構成
本実施例に係る凍結血漿解凍装置１は、図１〜図２に示すように、本体２と、本体２の上面側を覆う状態で本体２に対して水平軸回りに揺動可能に設けられる上蓋３と、上蓋３の下面側に設けられる上部融解プレート５ａ、５ｂ（本発明に係る「他方の融解プレート」として例示する。）と、本体２の上面側に設けられる下部融解プレート６ａ、６ｂ（本発明に係る「一方の融解プレート」として例示する。）と、を備えている。この凍結血漿解凍装置１は、上部融解プレート５ａ、５ｂと下部融解プレート６ａ、６ｂとの間に複数の凍結血漿バッグ７ａ、７ｂを上下方向に挟み込んだ状態で、上部融解プレート５ａ、５ｂ及び下部融解プレート６ａ、６ｂを加熱して上蓋３（即ち、上部融解プレート５ａ、５ｂ）を水平軸回りに揺動させることで、複数の凍結血漿バッグ７ａ、７ｂに貯蔵された凍結血漿を解凍するものである（図５参照）。
【００１７】
上記本体２は、箱状に形成されている。この本体２には、左右の揺動アーム９の基端側を水平軸回りに揺動自在に支持するヒンジ部１０が設けられている。これら揺動アーム９の中間部には、上蓋３を揺動自在に支持する支持軸１１が懸架されている。また、これら揺動アーム９の先端部には、使用者が把持可能なハンドル１２が懸架されている。また、本体２内には、下部融解プレート６ａ、６ｂを支持するための支持部１４がブラケット１５を介して取り付けられている。この支持部１４は、水平方向に延びるプレート状に形成されている。
【００１８】
上記本体２の上面側には、支柱１６を介して揺動片１７の中間側が揺動自在に支持されている。この揺動片１７の一端側には、上蓋３の底面に当接する揉みローラ１８が回動自在に支持されている。また、揺動片１７の他端側は、連結部１９を介して回転板２０に連結されている。この回転板２０は、本体２内で水平軸回り回動自在に支持されている。また、回転板２０の中心側には、本体２内に設けられたモータ２１の駆動軸が連結されている。さらに、本体２の前面側には、電源スイッチ２２ａ、表示パネル２２ｂ、警報ブザー２２ｃ及びスタートスイッチ２２ｄ等が配置されている（図１参照）。
【００１９】
上記上蓋３は、プレート状に形成されている。この上蓋３の上面側には、揺動アーム９の支持軸１１に揺動自在に支持される支持部２４が立ち上げられている。よって、モータ２１の駆動により揉みローラ１８が昇降されることで、上蓋３は、上蓋３の上側中間部の支持軸１１を中心として揺動される。また、上蓋３は、ハンドル１２等を把持してヒンジ部１０を中心として開閉操作することで、本体２の上面側を覆う被覆状態（図３参照）と、本体２の上面側を開放する開放状態（図１参照）と、に変位される。この上蓋３の被覆状態では、上部融解プレート５ａ、５ｂと下部融解プレート６ａ、６ｂとが対向する。
【００２０】
上記上部融解プレート５ａ、５ｂは、複数（図中２つ）並設されている。これら上部融解プレート５ａ、５ｂは、上蓋３の下面側に移動不能に固定されている。また、下部融解プレート６ａ、６ｂは、複数（図中２つ）並設されている。これら下部融解プレート６ａ、６ｂのそれぞれは、互いに独立して、本体２に上下方向に移動自在に支持されている。また、これら下部融解プレート６ａ、６ｂのそれぞれと本体２との間には、下部融解プレート６ａ、６ｂを上部融解プレート５ａ、５ｂに向かって付勢する付勢体２７ａ、２７ｂが介装されている。具体的に、図３及び図４に示すように、下部融解プレート６ａ、６ｂの下面側には、下方に延びる支持ロッド２８が設けられている。この支持ロッド２８は、支持部１４に形成された貫通孔１４ａに挿通されている。また、支持ロッド２８の先端側には、貫通孔１４ａからの抜け出しを規制する規制部２８ａが設けられている。また、下部融解プレート６ａ、６ｂの下面側と支持部１４の上面側との間には、下部融解プレート６ａ、６ｂを上方に向かって付勢する付勢体２７ａ、２７ｂが介装されている。なお、付勢体２７ａ、２７ｂとしては、例えば、コイルバネ、板バネ、ゴム等の弾性材等を採用できる。
【００２１】
なお、本実施例では、上記各融解プレート５ａ、５ｂ、６ａ、６ｂとして、その厚みが３ｍｍ以上で４０ｍｍ以下の、切削または鋳造によるアルミ板または銅板を使用する。これら融解プレート５ａ、５ｂ、６ａ、６ｂの厚みが厚いほど、解凍を早くすることができるが、４０ｍｍを超える厚みとすると装置全体が重く取扱者の使い勝手が悪く現実的でないのと、後述するヒータ３４ａ、３４ｂ、３５ａ、３５ｂにかける供給電力も多くなる。したがって、融解プレート５ａ、５ｂ、６ａ、６ｂの厚みは３ｍｍ以上で４０ｍｍ以下が適当である。
【００２２】
上記各融解プレート５ａ、５ｂ、６ａ、６ｂには、凍結血漿バッグ７ａ、７ｂと接触する表面側に凹部３１が形成されている（図１参照）。この凹部３１の深さは１ｍｍ〜５ｍｍとされている。また、各融解プレート５ａ、５ｂ、６ａ、６ｂには、凍結血漿バッグ７ａ、７ｂと接触しない表面側に断熱材３２が設けられている。なお、上記断熱材３２としては、例えば、グラスウール、ロックウール等の繊維材やウレタンフォーム等の発泡材等を挙げることができる。
【００２３】
上記上部融解プレート５ａ、５ｂのそれぞれは、図３及び図４に示すように、上部融解プレート５ａ、５ｂを加熱する第１ヒータ３４ａ、３４ｂと、上部融解プレート５ａ、５ｂの温度を検出する第１温度センサ３６ａ、３６ｂと、を備えている。また、下部融解プレート６ａ、６ｂのそれぞれは、下部融解プレート６ａ、６ｂを加熱する第２ヒータ３５ａ、３５ｂと、下部融解プレート６ａ、６ｂの温度を検出する第２温度センサ３７ａ、３７ｂと、を備えている。これら各ヒータ３４ａ、３４ｂ、３５ａ、３５ｂは、各融解プレート５ａ、５ｂ。６ａ、６ｂ内に埋設されている。また、これら各温度センサ３６ａ、３６ｂ、３７ａ、３７ｂは、各融解プレート５ａ、５ｂ、６ａ、６ｂの凍結血漿バッグ７ａ、７ｂと接触する中央表面部（例えば、表面から約１ｍｍの部位）に内蔵されている。なお、上記ヒータ３４ａ、３４ｂ、３５ａ、３５ｂとしては、例えば、シーズヒータ、カートリッジヒータ、平面ヒータ等を採用できる。
【００２４】
上記凍結血漿解凍装置１は、図６に示すように、図示しないＣＰＵ（Ｃｅｎｔｒａｌ Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ)、ＲＯＭ（Ｒｅａｄ  Ｏｎｌｙ  Ｍｅｍｏｒｙ）等を備えたコンピュータからなる制御部４０を備えている。この制御部４０は、温度調節手段４１、揺動指令手段４２、安全手段４３及び温度表示手段４４の各処理に対応するプログラムをＲＯＭに記憶しながら、各手段４１〜４４に対応する各処理をＣＰＵに実行させる。また、制御部４０は、ヒータ３４ａ、３４ｂ、３５ａ、３５ｂ、温度センサ３６ａ、３６ｂ、３７ａ、３７ｂ、モータ２１、電源スイッチ２２ａ、表示パネル２２ｂ、警報ブザー２２ｃ及びスタートスイッチ２２ｄに電気的に接続されている。なお、上記各手段４１〜４４の処理は、ハードウェア、ソフトウェアのいずれか又は両者により実現される。
【００２５】
上記制御部４０は、スタートスイッチ２２ｄがＯＮ操作されたときに、ヒータ３４ａ、３４ｂ、３５ａ、３５ｂを駆動する（図７のステップＳ１、Ｓ２参照）。また、制御部４０（具体的に、温度調節手段４１）は、温度センサ３６ａ、３６ｂ、３７ａ、３７ｂの検出値に基づいて温度調節器４６でヒータ３４ａ、３４ｂ、３５ａ、３５ｂの供給電力を調整して融解プレート５ａ、５ｂ、６ａ、６ｂの温度を３０℃〜４０℃の範囲内で所定の温度に調節する（図７のステップＳ３参照）。また、制御部４０（具体的に、揺動指令手段４２）は、ヒータ３４ａ、３４ｂ、３５ａ、３５ｂの加熱開始から所定時間Ｔ１（例えば、５分等）が経過したときに、モータ２１を駆動する（図７のステップＳ４、Ｓ５参照）。さらに、制御部４０は、ヒータ３４ａ、３４ｂ、３５ａ、３５ｂの加熱開始から所定時間Ｔ２（Ｔ２＞Ｔ１；例えば、１０分等）が経過したときに、ヒータ３４ａ、３４ｂ、３５ａ、３５ｂ及びモータ２１の駆動を停止する（図７のステップＳ６〜Ｓ８参照）。
【００２６】
上記制御部４０（具体的に、安全手段４３）は、温度センサ３６ａ、３６ｂ、３７ａ、３７ｂの検出値が予め決められた上限値（例えば、４０℃等）を超えた場合や温度センサ３６ａ、３６ｂ、３７ａ、３７ｂが断線した場合等に、ヒータ３４ａ、３４ｂ、３５ａ、３５ｂ及びモータ２１の駆動を停止するとともに、警報ブザー２２ｃを鳴らしたり警報ランプを点灯させたりして異常を報知する。さらに、制御部４０（具体的に、温度表示手段４４）は、凍結血漿バッグ７ａ、７ｂの加熱動作中及び加熱動作終了後に、表示パネル２２ｂに温度センサ３６ａ、３６ｂ、３７ａ、３７ｂの検出値を表示する。
【００２７】
（２）凍結血漿解凍装置の作用
次に、上記構成の凍結血漿解凍装置１の作用について説明する。上蓋３の開放状態において、下部融解プレート６ａ、６ｂの凹部３１上に複数の凍結血漿バッグ７ａ、７ｂを載せる。次に、上蓋３を被覆状態とすると、各凍結血漿バッグ７ａ、７ｂは、上部融解プレート５ａ、５ｂと下部融解プレート６ａ、６ｂとの間に上下方向に挟み込まれてセットされる。
【００２８】
なお、上述の複数の凍結血漿バッグ７ａ、７ｂの間の高さＨ１、Ｈ２のばらつきは、同じサイズの凍結血漿バッグであっても凍結状態の違いで生じることがある。
【００２９】
次いで、スタートスイッチ２２ｄがＯＮ操作されると、ヒータ３４ａ、３４ｂ、３５ａ、３５ｂが駆動されて融解プレート５ａ、５ｂ、６ａ、６ｂが加熱される。そして、温度センサ３６ａ、３６ｂ、３７ａ、３７ｂの検出値に基づいてヒータ３４ａ、３４ｂ、３５ａ、３５ｂの供給電力が調整されて融解プレート５ａ、５ｂ、６ａ、６ｂの温度が３０〜４０℃の適当な温度に調節される（図７のステップＳ１〜Ｓ３参照）。この融解プレート５ａ、５ｂ、６ａ、６ｂの加熱により、各凍結血漿バッグ７ａ、７ｂの解凍が加速され、凍結バッグの表面の一部が解凍したことにより、融解プレートとの接触面積が増え接触抵抗が増し、バッグのずれがなくなると同時に各凍結血漿バッグ７ａ、７ｂの高さＨ１、Ｈ２のばらつきが十分に吸収される。
【００３０】
その後、ヒータ３４ａ、３４ｂ、３５ａ、３５ｂの加熱開始から所定時間Ｔ１が経過すると、モータ２１が駆動されて揉みローラ１８の昇降により上蓋３が揺動される（図７のステップＳ４、Ｓ５参照）。このとき、下部融解プレート６ａ、６ｂに対して上部融解プレート５ａ、５ｂがシーソーのように上下に揺らされて各凍結血漿バッグ７ａ、７ｂが揉み込まれるため、バッグ７ａ、７ｂ内の溶けた液体が回遊されて解凍が加速される（図５参照）。次に、ヒータ３４ａ、３４ｂ、３５ａ、３５ｂの加熱開始から所定時間Ｔ２が経過すると、ヒータ３４ａ、３４ｂ、３５ａ、３５ｂ及びモータ２１の駆動が停止されて解凍処理が終了する（図７のステップＳ６〜Ｓ８参照）。
【００３１】
さらに凍結血漿バッグの異なるサイズのものを同時に解凍処理する場合は、上記加熱開始から所定時間Ｔ1経過後上部融解プレートを揺動させる処理のみでは対応ができないので、図４に示すように、各異なるサイズの凍結血漿バッグ７ａ、７ｂの間で高さ（厚さ）Ｈ１、Ｈ２に大きなばらつき（Ｈ１＜Ｈ２）があっても、適当な下部融解プレート７ｂ（７ａ）が付勢体２７ｂ（２７ａ）の付勢力に抗して本体２に対して上下方向に移動することで、各凍結血漿バッグ７ａ、７ｂは、上部融解プレート５ａ、５ｂと下部融解プレート６ａ、６ｂとの間に適正に挟み込まれる。そして、挟み込まれた各異なるサイズの凍結血漿バッグ７ａ、７ｂは、その冷凍熱が上部融解プレート５ａ、５ｂ及び下部融解プレート６ａ、６ｂに急速に拡散されるとともに、吸熱されて解凍される。よって、各異なるサイズの凍結血漿バッグ７ａ、７ｂの高さＨ１、Ｈ２のばらつきが吸収される。
【００３２】
（３）実施例に効果
本実施例では、図８の（ａ）の構造となる凍結血漿解凍装置において、上部融解プレート５ａ、５ｂ及び下部融解プレート６ａ、６ｂのそれぞれを加熱してから所定時間Ｔ１の経過後に上蓋３を水平軸回りに揺動させる制御部４０を備える。これにより、複数の凍結血漿バッグ７ａ、７ｂを挟み込んだ状態で各融解プレート５ａ、５ｂ、６ａ、６ｂの加熱だけを所定時間行うことにより、凍結血漿バッグ７ａ、７ｂの表面側が融解されて各融解プレート５ａ、５ｂ、６ａ、６ｂとの接触面積が多くなり、複数の凍結血漿バッグ７ａ、７ｂの間の高さＨ１、Ｈ２のばらつきが十分に吸収される。そして、加熱だけの所定時間Ｔ１の経過後に上蓋３を揺動させることにより、複数の凍結血漿バッグ７ａ、７ｂは、滑り移動やずれを効果的に抑制されて解凍される。その結果、複数の同サイズの凍結血漿バッグ７ａ、７ｂの間で高さにばらつきがあっても、複数の凍結血漿バッグ７ａ、７ｂの成分や組織を破壊することなく雑細菌の付着を抑えながら簡単に短時間に解凍を正確に遂行することができる。
【００３３】
また、凍結血漿バッグ７ａ、７ｂのサイズの異なるものを同時に解凍処理する場合は、上記処理のみでは無理があり、それに対し本実施例の凍結血漿解凍装置１によると、下部融解プレート６ａ、６ｂは、複数並設さており、複数の下部融解プレート６ａ、６ｂのそれぞれは、互いに独立して、本体２に上下方向に移動自在に支持されており、複数の下部融解プレート６ａ、６ｂのそれぞれと本体２との間には、下部融解プレート６ａ、６ｂを上部融解プレート５ａ、５ｂに向かって付勢する付勢体２７ａ、２７ｂが介装されている。そして、上部融解プレート５ａ、５ｂと下部融解プレート６ａ、６ｂとの間に複数のサイズの異なる凍結血漿バッグ７ａ、７ｂを上下方向に挟み込んだ状態で、各融解プレート５ａ、５ｂ、６ａ、６ｂを加熱して上蓋３（即ち、上部融解プレート５ａ、５ｂ）を水平軸回りに揺動させることで、複数の凍結血漿バッグ７ａ、７ｂに貯蔵された凍結血漿が解凍される。これにより、上部融解プレート５ａ、５ｂと下部融解プレート６ａ、６ｂとの間に挟み込まれる複数のサイズの異なる凍結血漿バッグ７ａ、７ｂの間で高さＨ１、Ｈ２に大きなばらつきがあっても、複数の上部融解プレート６ａ、６ｂのうちの適当な上部融解プレート６ａ、６ｂが付勢体２７ａ、２７ｂの付勢力に抗して上下方向に移動することで、複数のサイズの異なる凍結血漿バッグ７ａ、７ｂの間の高さＨ１、Ｈ２のばらつきが吸収されて、凍結血漿バッグ７ａ、７ｂの滑り移動やずれが抑制される。その結果、複数のサイズの異なる凍結血漿バッグ７ａ、７ｂの間で大きな高さＨ１、Ｈ２にばらつきがあっても、複数の凍結血漿バッグ７ａ、７ｂの成分や組織を破壊することなく雑細菌の付着を抑えながら簡単に短時間に解凍を正確に遂行することができる。
【００３４】
ここで、上記各融解プレート５ａ、５ｂ、６ａ、６ｂには緩やかな凹部３１を設けて、凍結血漿バッグ７ａ、７ｂが滑って移動しないようにするとともに、接触面積を増やし熱伝導による解凍を早くする。しかし、この対処がなされていても、融解プレート５ａ、５ｂ、６ａ、６ｂに各凍結血漿バッグ７ａ、７ｂを挟み込んで直ぐに上部融解プレート５ａ、５ｂをシーソーのように揺動をかけると、融解プレート５ａ、５ｂ、６ａ、６ｂには緩やかな凹部３１を設けてあっても、凍結血漿バッグ７ａ、７ｂと融解プレート５ａ、５ｂ、６ａ、６ｂは凍っているため点接触あり、滑りやすく移動を完全には抑えられなかった。そこで、１分間〜１０分間以内で上部融解プレート５ａ、５ｂの揺動を止め、加熱だけ行うことにより、凍結血漿バッグ７ａ、７ｂの表面が融解し融解プレート５ａ、５ｂ、６ａ、６ｂと接触面積が多くなり、滑りが無くなり血漿バッグ７ａ、７ｂの移動を完全に止めることができた。また、高さのばらつきも抑えることができた。本実地例としては、５分間の加熱融解処理後、揺動動作に入ることとした。これにより、２つの凍結血漿バッグ７ａ、７ｂをバラツキなく正確に融解処理が達成できるようになった。更に凍結血漿バッグのサイズの異なるものを同時に解凍処理する場合は、上部または下部の融解プレートの一方または両方を上下可動する構造にすることにより、ばらつきなく正確に融解処理が達成できることとなった。したがって、本凍結血漿解凍装置１によると、湯煎を行わないドライな方式で、雑菌の増殖、接触を少なくし、衛生的であるとともに移動や振動に対しても手がかからず使い勝手が良い解凍を遂行することができる。
【００３５】
さらに、本実施例では、上蓋３は、本体２の上面側を覆う被覆状態と本体２の上面側を開放する開放状態との間で本体２に対して変位自在に支持されており、上部融解プレート５ａ、５ｂは、上蓋３に移動不能に固定されている。これにより、開閉操作される蓋体３を簡易且つ安価な構造にできる。
【００３６】
尚、本発明においては、上記実施例に限られず、目的、用途に応じて本発明の範囲内で種々変更した実施例とすることができる。即ち、上記実施例では、融解プレート６ａ、６ｂを本体２に上下方向に移動自在に支持するようにしたが、これに限定されず、例えば、図８（ａ）及び図９に示すように、上部融解プレート５ａ、５ｂを上蓋３に移動不能に固定し、下部融解プレート６ａ、６ｂを本体２に移動不能に固定するようにしてもよい。
【００３７】
また、上記実施例では、別体で設けられる複数の上部融解プレート５ａ、５ｂを例示したが、これに限定されず、例えば、図８（ｂ）に示すように、一体に設けられる単一の上部融解プレート５としてもよい。
【００３８】
また、上記実施例では、上部融解プレート５ａ、５ｂを上蓋３に移動不能に固定し、下部融解プレート６ａ、６ｂを本体２に上下方向に移動自在に支持し、下部融解プレート６ａ、６ｂと本体２との間に下部融解プレート６ａ、６ｂを上方に向かって付勢する付勢体２７ａ、２７ｂを備える形態を例示したが、これに限定されず、例えば、図８（ｃ）に示すように、上部融解プレート５ａ、５ｂを上蓋３に上下方向に移動自在に支持し、下部融解プレート６ａ、６ｂを本体２に移動不能に固定し、上部融解プレート５ａ、５ｂと蓋体３との間に上部融解プレート５ａ、５ｂを下方に向かって付勢する付勢体２７ａ’、２７ｂ’を備えるようにしてもよい。この場合、上蓋３には、上部融解プレート５ａ、５ｂを上下方向に移動自在に支持する支持部１４’が取り付けられる。さらに、下部融解プレート６ａ、６ｂは、複数並設されていてもよいし、一体に設けられていてもよい。
【００３９】
さらに、例えば、図８（ｄ）に示すように、上部融解プレート５ａ、５ｂを上蓋３に上下方向に移動自在に支持し、下部融解プレート６ａ、６ｂを本体２に上下方向に移動自在に支持し、上部融解プレート５ａ、５ｂと蓋体３との間に上部融解プレート５ａ、５ｂを下方に付勢する付勢体２７ａ’、２７ｂ’を備え、下部融解プレート６ａ、６ｂと本体２との間に下部融解プレート６ａ、６ｂを上方に付勢する付勢体２７ａ、２７ｂを備えるようにしてもよい。この場合、上蓋３には、上部融解プレート５ａ、５ｂを上下方向に移動自在に支持する支持部１４’が取り付けられる。
【００４０】
また、上記実施例では、モータ２１の駆動により揺動される上部融解プレート５ａ、５ｂを例示したが、これに限定されず、例えば、流体シリンダ等の駆動により揺動される上部融解プレート５ａ、５ｂとしてもよい。
【００４１】
さらに、上記実施例では、２つの凍結血漿バッグ７ａ、７ｂを解凍するように２つの上部融解プレート５ａ、５ｂ及び下部融解プレート６ａ、６ｂを備える形態を例示したが、これに限定されず、例えば、３以上の凍結血漿バッグを解凍するように３以上の上部融解プレート及び下部融解プレートを備えるようにしてもよい。
【００４２】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４３】
本発明は上記で詳述した実施形態に限定されず、本発明の請求項に示した範囲で様々な変形または変更が可能である。
【産業上の利用可能性】
【００４４】
本発明は、凍結血漿バッグに貯蔵された凍結血漿を解凍する技術として広く利用される。
【符号の説明】
【００４５】
１；凍結血漿解凍装置、２；本体、３；上蓋、５ａ，５ｂ；上部融解プレート、６ａ，６ｂ；下部融解プレート、７ａ，７ｂ；凍結血漿バッグ、２７ａ，２７ｂ；付勢体、４０；制御部。
【図１】
2018061719.tif 000003
【図２】
2018061719.tif 000004
【図３】
2018061719.tif 000005
【図４】
2018061719.tif 000006
【図５】
2018061719.tif 000007
【図６】
2018061719.tif 000008
【図７】
2018061719.tif 000009
【図８】
2018061719.tif 000010
【図９】
2018061719.tif 000011